(57)【特許請求の範囲】
【請求項１】
揮発性記憶部と、
不揮発性記憶部と、
エレベータかご内に設置された監視カメラから映像ストリームを受信し、前記映像ストリームを受信した時刻を前記映像ストリームに時刻情報として付加して前記映像ストリームを前記揮発性記憶部に保存する入力制御部と、
前記揮発性記憶部に保存されている前記映像ストリームをデコードして映像データを生成し、前記映像ストリームに付加された前記時刻情報を前記映像データに付加して前記映像データを前記揮発性記憶部に保存するデコード部と、
前記揮発性記憶部に保存されている前記映像データの容量を縮小して縮小映像データを生成し、前記映像データに付加された前記時刻情報を前記縮小映像データに付加して前記縮小映像データを前記揮発性記憶部に保存する画像処理部と、
前記揮発性記憶部に保存されている前記縮小映像データをエンコードして縮小映像ストリームを生成し、前記縮小映像データに付加された前記時刻情報を前記縮小映像ストリームに付加して前記縮小映像ストリームを前記揮発性記憶部に保存するエンコード部と、
エレベータ制御装置からエレベータの状況を示すエレベータ情報を受信し、前記エレベータ情報に従って、前記揮発性記憶部に保存されている前記映像ストリームおよび前記縮小映像ストリームのいずれかを映像記録情報として選択し、選択した前記映像記録情報を前記不揮発性記憶部に記録する制御部と、
を備えたエレベータ用監視装置。
【請求項２】
前記制御部は、
前記エレベータ情報から、エレベータドアが開いていると判断した場合、前記映像ストリームを前記映像記録情報として選択し、
前記エレベータ情報から、前記エレベータが停止し、前記エレベータドアが閉じており、前記エレベータかご内に乗客がいると判断した場合、前記映像ストリームを前記映像記録情報として選択し、
前記エレベータ情報から、前記エレベータが走行中であり、前記エレベータドアが閉じており、前記エレベータかご内に乗客がいると判断した場合、前記縮小映像ストリームを前記映像記録情報として選択する
請求項１に記載のエレベータ用監視装置。
【請求項３】
前記制御部は、
前記エレベータ情報から、前記エレベータドアが閉じており、前記エレベータかご内に乗客がいないと判断した場合、前記映像記録情報を前記不揮発性記憶部に記録する動作を停止する
請求項２に記載のエレベータ用監視装置。
【請求項４】
前記画像処理部は、
前記揮発性記憶部に保存されている前記映像データの解像度を縮小し、前記解像度が縮小された前記映像データを前記縮小映像データとして生成する解像度縮小部を有する
請求項１から３のいずれか１項に記載のエレベータ用監視装置。
【請求項５】
前記画像処理部は、
予め準備された参照映像データを保存する参照映像記憶部と、
前記揮発性記憶部に保存されている前記映像データと、前記参照映像記憶部に保存されている前記参照映像データとを比較することで、相違部分を前記映像データから検出する動き検出部と、
前記揮発性記憶部に保存されている前記映像データから、前記動き検出部によって検出された前記相違部分を含む領域を抽出領域として抽出し、前記映像データの全領域から前記抽出領域のみを切り出した抽出映像データを前記縮小映像データとして生成する抽出部と、
を有する請求項１から３のいずれか１項に記載のエレベータ用監視装置。
【請求項６】
前記制御部は、
前記動き検出部が、前記揮発性記憶部に保存されている前記映像データから、前記抽出部によって抽出される前記抽出領域以外で相違部分を検出した場合、前記エレベータ制御装置から受信した前記エレベータ情報に関わらず、前記映像ストリームを優先的に前記映像記録情報として選択する
請求項５に記載のエレベータ用監視装置。
【請求項７】
前記抽出部は、
前記揮発性記憶部に保存されている前記映像データの全領域に対して、前記抽出領域を徐々にズームアップするときのズームアップの変化の過程を示す一連のズームアップ映像データを含んだ前記縮小映像データを生成する
請求項５または６に記載のエレベータ用監視装置。
【請求項８】
前記抽出部は、
前記抽出領域から、前記揮発性記憶部に保存されている前記映像データの全領域に徐々にズームバックするときのズームバックの変化の過程を示す一連のズームバック映像データを含んだ前記縮小映像データを生成する
請求項７に記載のエレベータ用監視装置。
【発明の詳細な説明】
【技術分野】
【０００１】
本発明は、エレベータかご内に設置される監視カメラで撮影された映像を記録するエレベータ用監視装置に関するものである。
【背景技術】
【０００２】
近年、防犯意識の高まりによって、ビル、駅、エレベータ等の様々な公共施設に、監視カメラおよび監視レコーダの設置が進んでいる。特に、エレベータにおいては、閉じ込められた空間内での防犯を目的として、エレベータかご内に監視カメラが設置されている。また、監視カメラで撮影された映像を、監視センターで監視するとともにエレベータかご内に設置されたモニターに一時的に表示したり、エレベータかご上、機械室等に設置された監視装置に記録したりすることが一般的におこなわれている。【０００３】
ここで、デジタル映像技術の進展に伴い、上記の監視装置は、監視カメラで撮影した映像を、静止画圧縮技術、動画圧縮技術等を用いてエンコードし、ハードディスク、ＳＳＤ（Ｓｏｌｉｄ  Ｓｔａｔｅ  Ｄｒｉｖｅ）等の記憶装置に記憶するように構成されている。また、記憶装置の記憶容量は有限である。そこで、映像の長時間記録を実現するために、エレベータの運転状況およびエレベータかご内の乗客の有無に従って記憶装置への映像の記録を制御する技術、エンコーダの圧縮パラメータの変更によってフレームレートおよび画質を変更する技術等が提案されている。（例えば、特許文献１〜３参照）。
【先行技術文献】
【特許文献】
【０００４】
【特許文献１】特開２０１０−２０２３７４号公報
【特許文献２】特開２０００−３５１５４６号公報
【特許文献３】特開２００８−２７３６３７号公報
【発明の概要】
【発明が解決しようとする課題】
【０００５】
ここで、エンコーダの圧縮パラメータを変更する際、Ｍｏｔｉｏｎ  ＪＰＥＧ（Ｊｏｉｎｔ  Ｐｈｏｔｏｇｒａｐｈｉｃ  Ｅｘｐｅｒｔｓ  Ｇｒｏｕｐ）、ＪＰＥＧ２０００等が適用され、映像を１フレーム単位の静止画で処理するエンコーダであれば、フレーム単位で記録するパラメータを変更することができる。しかしながら、ＭＰＥＧ（Ｍｏｖｉｎｇ  Ｐｉｃｔｕｒｅ  Ｅｘｐｅｒｔｓ  Ｇｒｏｕｐ）で規定される動画圧縮技術が適用されたエンコーダでは、フレーム間の差分情報を用いて高圧縮を実現している。そのため、エンコーダ動作中に圧縮パラメータを変更できないものが一般的であり、圧縮パラメータを変更する場合には、エンコーダを一旦停止して、圧縮パラメータを設定し、再度エンコーダを動作させる必要がある。【０００６】
このように、動画圧縮技術が適用された一般的なエンコーダを使用した監視装置においては、エンコーダの圧縮パラメータを変更する場合、一旦エンコーダの処理を停止する必要があるので、監視カメラで撮影された映像を記憶装置に連続的に記録できないという問題がある。【０００７】
本発明は、上記の問題点を考慮してなされたものであり、監視カメラで撮影された映像を記録する記憶装置の記憶容量を削減しつつ、記憶装置に記録された映像を連続的に再生することのできるエレベータ用監視装置を得ることを目的とする。
【課題を解決するための手段】
【０００８】
本発明におけるエレベータ用監視装置は、揮発性記憶部と、不揮発性記憶部と、エレベータかご内に設置された監視カメラから映像ストリームを受信し、映像ストリームを受信した時刻を映像ストリームに時刻情報として付加して映像ストリームを揮発性記憶部に保存する入力制御部と、揮発性記憶部に保存されている映像ストリームをデコードして映像データを生成し、映像ストリームに付加された時刻情報を映像データに付加して映像データを揮発性記憶部に保存するデコード部と、揮発性記憶部に保存されている映像データの容量を縮小して縮小映像データを生成し、映像データに付加された時刻情報を縮小映像データに付加して縮小映像データを揮発性記憶部に保存する画像処理部と、揮発性記憶部に保存されている縮小映像データをエンコードして縮小映像ストリームを生成し、縮小映像データに付加された時刻情報を縮小映像ストリームに付加して縮小映像ストリームを揮発性記憶部に保存するエンコード部と、エレベータ制御装置からエレベータの状況を示すエレベータ情報を受信し、エレベータ情報に従って、揮発性記憶部に保存されている映像ストリームおよび縮小映像ストリームのいずれかを映像記録情報として選択し、選択した映像記録情報を不揮発性記憶部に記録する制御部と、を備えたものである。
【発明の効果】
【０００９】
本発明によれば、監視カメラで撮影された映像を記録する記憶装置の記憶容量を削減しつつ、記憶装置に記録された映像を連続的に再生することのできるエレベータ用監視装置を得ることができる。
【図面の簡単な説明】
【００１０】
【図１】本発明の実施の形態１におけるエレベータ用監視システムの構成を示すブロック図である。
【図２】図１の制御部が、受信したエレベータ情報に対応して行う動作を示す説明図である。
【図３】図１の制御部の動作例を示すタイムチャートである。
【図４】本発明の実施の形態２におけるエレベータ用監視システムの構成を示すブロック図である。
【図５】図４の参照映像記憶部に保存されている参照映像データの一例を示す図である。
【図６】図４の揮発性記憶部に保存されている映像データの一例を示す図である。
【図７】図４の抽出部によって抽出された抽出領域を示す図である。
【図８】本発明の実施の形態４における抽出部によって生成される縮小映像データに含まれる一連のズームアップ映像データの一例を示す図である。
【図９】本発明の実施の形態４における制御部の動作例を示すタイムチャートである。
【発明を実施するための形態】
【００１１】
以下、本発明によるエレベータ用監視装置を、好適な実施の形態にしたがって図面を用いて説明する。なお、図面の説明においては、同一部分または相当部分には同一符号を付し、重複する説明を省略する。
【００１２】
実施の形態１．
図１は、本発明の実施の形態１におけるエレベータ用監視システムの構成を示すブロック図である。図１において、エレベータ用監視システムは、エレベータ用監視装置１（以下、監視装置１と略す）、ネットワーク２、監視カメラ３およびエレベータ制御装置４を備える。
【００１３】
監視装置１は、ネットワーク２を介して、エレベータかご内に設置された監視カメラ３と通信可能に接続される。監視カメラ３としては、例えば、ネットワークカメラが用いられる。
【００１４】
監視カメラ３は、エレベータかご内の乗客を監視対象として監視する。監視カメラ３は、撮影した映像を、ＭＰＥＧ−４／ＡＶＣ（Ｈ．２６４とも呼ばれる）等の動画圧縮規格でエンコードして映像ストリームを生成する。監視カメラ３は、生成した映像ストリームを、ネットワーク２を介して監視装置１に送信する。
【００１５】
エレベータ制御装置４は、エレベータの動作を制御するとともに、エレベータの動作状況を把握する。また、エレベータ制御装置４は、監視装置１と通信可能に接続されており、エレベータの状況を示すエレベータ情報を監視装置１に送信する。エレベータ情報は、エレベータの運転状況を示す運転情報、エレベータドアの開閉状況を示すドア開閉情報、およびエレベータかご内の乗客の有無を示す乗車情報を含む。乗客の有無を判断する方法としては、例えば、エレベータに設置された秤での測定結果に基づいてエレベータかご内の乗客の有無を判断する方法が挙げられる。
【００１６】
監視装置１およびエレベータ制御装置４は、例えば、演算処理を実行するマイコンと、プログラムデータ、固定値データ等のデータを記憶するＲＯＭ（Ｒｅａｄ  Ｏｎｌｙ  Ｍｅｍｏｒｙ）と、格納されているデータを更新して順次書き換えられるＲＡＭ（Ｒａｎｄｏｍ  Ａｃｃｅｓｓ  Ｍｅｍｏｒｙ）とによって実現される。
【００１７】
次に、監視装置１の構成要素について説明する。監視装置１は、入力制御部１１、揮発性記憶部１２、デコード部１３、画像処理部１４、エンコード部１５、制御部１６、不揮発性記憶部１７、不揮発性一時記憶部１８およびコピー制御部１９を備える。
【００１８】
入力制御部１１は、監視カメラ３からネットワーク２を介して送信される映像ストリームを受信する。入力制御部１１は、受信した映像ストリームに、その映像ストリームを受信した時刻を時刻情報として付加し、時刻情報が付加された映像ストリームを、揮発性記憶部１２に保存する。揮発性記憶部１２としては、例えば、揮発性メモリが用いられる。
【００１９】
具体的には、入力制御部１１は、映像ストリーム内に含まれる映像のまとまった単位、例えばＧＯＰ（Ｇｒｏｕｐ  Ｏｆ  Ｐｉｃｔｕｒｅ）単位で、Ｉピクチャ（Ｉｎｔｒａ  Ｐｉｃｔｕｒｅ）と呼ばれる基準のフレームを受信した時の時刻を、時刻情報としてそのＩピクチャに付加する。
【００２０】
このように、入力制御部１１は、エレベータかご内に設置された監視カメラ３から映像ストリームを受信し、映像ストリームを受信した時刻を映像ストリームに時刻情報として付加して映像ストリームを揮発性記憶部１２に保存する。
【００２１】
デコード部１３は、揮発性記憶部１２に保存されている映像ストリームを読み出してデコードし、デコードされた映像ストリームを映像データとして生成し、その映像データを揮発性記憶部１２に保存する。デコード部１３は、監視カメラ３に適用される動画圧縮規格に対応したデコーダとして動作する。すなわち、監視カメラ３にＨ．２６４が適用される場合、デコード部１３は、Ｈ．２６４に対応したデコーダとして動作する。
【００２２】
デコード部１３は、映像ストリームをデコードして映像データを生成する際に、映像ストリームに付加されている時刻情報を映像データに付加し、時刻情報が付加された映像データを揮発性記憶部１２に保存する。
【００２３】
具体的には、デコード部１３は、映像ストリームをデコードするとき、ＧＯＰ単位に含まれるＩピクチャに加えて、ＧＯＰ単位に含まれる他のフレーム、すなわち、Ｐピクチャ（Ｐｒｅｄｉｃｔｉｖｅ  Ｐｉｃｔｕｒｅ）、Ｂピクチャ（Ｂｉｄｉｒｅｃｔｉｏｎａｌｌｙ  Ｐｒｅｄｉｃｔｉｖｅ  Ｐｉｃｔｕｒｅ））等を用いて、ＧＯＰ単位に含まれるすべてのフレームをデコードする。
【００２４】
フレームレートは、監視カメラ３が映像ストリームを生成するときに決められており、映像ストリームにフレームレートの情報（例えば、秒１５フレーム、秒３０フレーム等）が含まれている。デコード部１３は、映像ストリームのＩピクチャに付加される時刻情報と、映像ストリームのフレームレートの情報とから、各フレームの時刻を指定し、各フレームに時刻情報を付加する。
【００２５】
このように、デコード部１３は、揮発性記憶部１２に保存されている映像ストリームをデコードして映像データを生成し、映像ストリームに付加された時刻情報を映像データに付加して映像データを揮発性記憶部１２に保存する。
【００２６】
画像処理部１４は、映像データの容量を縮小し、容量が縮小された映像データを縮小映像データとして生成し、その縮小映像データを揮発性記憶部１２に保存する。具体的には、画像処理部１４は、揮発性記憶部１２に保存されている映像データの解像度を縮小し、解像度が縮小された映像データを縮小映像データとして生成し、その縮小映像データを揮発性記憶部１２に保存する解像度縮小部１４１を有する。解像度縮小部１４１は、例えば、解像度が、１９２０×１０８０ドットの映像データを、６４０×３６０ドットに縮小する、すなわち、縦横ともに１／３にする等の画像処理を行うことで、縮小映像データを生成する。
【００２７】
解像度縮小部１４１は、映像データの解像度を縮小して縮小映像データを生成する際に、映像データに付加されている時刻情報を縮小映像データに付加し、時刻情報が付加された縮小映像データを揮発性記憶部１２に保存する。
【００２８】
このように、画像処理部１４は、揮発性記憶部１２に保存されている映像データの容量を縮小して縮小映像データを生成し、映像データに付加された時刻情報を縮小映像データに付加して縮小映像データを揮発性記憶部１２に保存する。具体的には、画像処理部１４は、揮発性記憶部１２に保存されている映像データの解像度を縮小し、解像度が縮小された映像データを縮小映像データとして生成する。
【００２９】
エンコード部１５は、揮発性記憶部１２に保存されている縮小映像データを、Ｈ．２６４等の動画圧縮規格でエンコードし、エンコードされた縮小映像データを縮小映像ストリームとして生成し、その縮小映像ストリームを揮発性記憶部１２に保存する。エンコード部１５は、監視カメラ３に適用される動画圧縮規格と同じ規格が適用されたエンコーダとして動作する。
【００３０】
エンコード部１５は、縮小映像データをエンコードして縮小映像ストリームを生成する際に、縮小映像データに付加されている時刻情報を縮小映像ストリームに付加し、時刻情報が付加された縮小映像ストリームを揮発性記憶部１２に保存する。
【００３１】
具体的には、エンコード部１５は、縮小映像ストリーム内に含まれる映像のまとまった単位、例えばＧＯＰ単位で、時刻情報をＩピクチャに付加する。
【００３２】
このように、エンコード部１５は、揮発性記憶部１２に保存されている縮小映像データをエンコードして縮小映像ストリームを生成し、縮小映像データに付加された時刻情報を縮小映像ストリームに付加して縮小映像ストリームを揮発性記憶部に保存する。
【００３３】
制御部１６は、エレベータ制御装置４から送信されるエレベータ情報を受信し、そのエレベータ情報に従って、揮発性記憶部１２に保存されている映像ストリームおよび縮小映像ストリームのいずれかを映像記録情報として選択し、選択した映像記録情報を不揮発性記憶部１７に記録する。なお、不揮発性記憶部１７としては、例えば、ハードディスクドライブが用いられる。
【００３４】
このように、制御部１６は、エレベータ情報に従って、監視カメラ３から送信される映像ストリームをそのまま不揮発性記憶部１７に記録する動作と、その映像ストリームに対して、時間情報を保持したまま一度デコードした後、データ容量を縮小して再エンコードする画像処理が施された縮小映像ストリームを不揮発性記憶部１７に記録する動作とを切り替えて行う。また、制御部１６は、映像記録情報を映像ストリームおよび縮小映像ストリームに切り替えて不揮発性記憶部１７に記録する際、切り替え前後の映像記録情報の時間情報が連続するように制御する。
【００３５】
不揮発性一時記憶部１８は、コピー範囲情報を保存する。不揮発性一時記憶部１８としては、例えば、ＵＳＢメモリ、ＳＤカード等が用いられる。利用者は、不揮発性記憶部１７に記録されている映像記録情報をパーソナルコンピュータで再生したい場合、映像の再生を開始する開始時刻と、映像の再生を終了する終了時刻を、コピー範囲情報として不揮発性一時記憶部１８に保存する。その後、利用者は、不揮発性一時記憶部１８を監視装置１に接続する。
【００３６】
コピー制御部１９は、接続された不揮発性一時記憶部１８に保存されているコピー範囲情報に含まれる開始時刻と終了時刻に従って、不揮発性記憶部１７に記録されている映像記録情報のうち該当する映像記録情報を抽出し、抽出した映像記録情報を不揮発性一時記憶部１８に保存する。このように、コピー制御部１９がコピー範囲情報に従って、映像記録情報を不揮発性一時記憶部１８に保存するので、利用者は、不揮発性記憶部１７に記録されている映像記録情報をパーソナルコンピュータで再生することができる。
【００３７】
次に、監視装置１の一連の動作の流れについて説明する。監視カメラ３から送信される映像ストリームは、ネットワーク２を介して、監視装置１の入力制御部１１に入力される。入力制御部１１は、監視カメラ３から受信した映像ストリームに時刻情報を付加し、時刻情報が付加された映像ストリームを揮発性記憶部１２に保存する。時刻情報は、映像ストリームのＩピクチャに付加される。
【００３８】
デコード部１３は、揮発性記憶部１２に保存されている映像ストリームを読み出してデコードし、デコードされた映像ストリームを映像データとして生成し、その映像データを揮発性記憶部１２に保存する。デコード部１３は、映像ストリームのＩピクチャに付加される時刻情報と、映像ストリームのフレームレートの情報とから、生成する映像データの各フレームに時刻情報を付加する。
【００３９】
続いて、画像処理部１４の解像度縮小部１４１は、揮発性記憶部１２に保存されている映像データの解像度を縮小し、解像度が縮小された映像データを縮小映像データとして生成し、その縮小映像データを揮発性記憶部１２に保存する。解像度縮小部１４１は、映像データの各フレームに付加されている時刻情報を、縮小映像データに引き継ぐように付加する。
【００４０】
続いて、エンコード部１５は、揮発性記憶部１２に保存されている縮小映像データを、Ｈ．２６４等の動画圧縮規格でエンコードし、エンコードされた縮小映像データを縮小映像ストリームとして生成し、その縮小映像ストリームを揮発性記憶部１２に保存する。
【００４１】
続いて、制御部１６は、エレベータ制御装置４から受信したエレベータ情報に従って、揮発性記憶部１２に保存されている映像ストリームおよび縮小映像ストリームのいずれかを映像記録情報として選択し、選択した映像記録情報を不揮発性記憶部１７に記録する。
【００４２】
次に、エレベータ制御装置４から送信されるエレベータ情報と、そのエレベータ情報に対応した制御部１６の動作との関係について、図２を参照しながら説明する。図２は、図１の制御部１６が、受信したエレベータ情報に対応して行う動作を示す説明図である。
【００４３】
図２では、エレベータ制御装置４から送信されるエレベータ情報に含まれる運転情報、ドア開閉情報および乗車情報の種類と、制御部１６が不揮発性記憶部１７に記録する映像記録情報の種類とが関連付けられて図示されている。
【００４４】
Ｎｏ３およびＮｏ４に示すように、制御部１６は、エレベータが停止し、ドアが開いていると判断した場合には、エレベータかご内の乗客の有無に関わらず、揮発性記憶部１２に保存されている映像ストリームを映像記録情報として選択し、選択した映像記録情報を不揮発性記憶部１７に記録する。
【００４５】
このように、エレベータが停止し、ドアが開いている状況では、エレベータかご内の乗客の有無に関わらず、監視対象がエレベータの乗降中である可能性があり、その監視対象を監視する必要がある。そこで、制御部１６は、エレベータ情報から、このような状況が発生していると判断した場合、映像ストリームを映像記録情報として選択するように構成されている。
【００４６】
Ｎｏ７およびＮｏ８に示すように、制御部１６は、エレベータが走行中であり、ドアが開いていると判断した場合には、エレベータかご内の乗客の有無に関わらず、揮発性記憶部１２に保存されている映像ストリームを映像記録情報として不揮発性記憶部１７に記録する。
【００４７】
このように、エレベータが走行中であり、ドアが開いている状況では、エレベータかご内の乗客の有無に関わらず、エレベータに異常が発生している。つまり、エレベータが走行中に関わらずドアが開いている状況は、エベータの通常使用時には発生しない状況である。また、このような異常な状況を記録する必要がある。そこで、制御部１６は、エレベータ情報から、このような状況が発生していると判断した場合、映像ストリームを映像記録情報として選択するように構成されている。
【００４８】
以上、Ｎｏ３，４，７，８から分かるように、制御部１６は、エレベータ情報から、エレベータドアが開いていると判断した場合、映像の解像度が高い映像ストリームを映像記録情報として選択する。
【００４９】
Ｎｏ２に示すように、制御部１６は、エレベータが停止し、ドアが閉じており、エレベータかご内に乗客がいると判断した場合には、揮発性記憶部１２に保存されている映像ストリームを映像記録情報として選択し、選択した映像記録情報を不揮発性記憶部１７に記録する。
【００５０】
このように、エレベータが停止し、ドアが閉じており、エレベータかご内に乗客がいる状況では、監視対象がエレベータかご内にいるにもかかわらず、エレベータが停止中であり、例えば、監視対象が倒れている、監視対象が動けないでいる等、監視対象にトラブルが発生している可能性がある。そこで、制御部１６は、エレベータ情報から、このような状況が発生していると判断した場合、映像ストリームを映像記録情報として選択するように構成されている。
【００５１】
以上、Ｎｏ２から分かるように、制御部１６は、エレベータ情報から、エレベータが停止し、エレベータドアが閉じており、エレベータかご内に乗客がいると判断した場合、映像の解像度が高い映像ストリームを映像記録情報として選択する。
【００５２】
Ｎｏ６に示すように、制御部１６は、エレベータが走行中であり、ドアが閉じており、エレベータかご内に乗客がいると判断した場合には、揮発性記憶部１２に保存されている縮小映像ストリームを映像記録情報として選択し、選択した映像記録情報を不揮発性記憶部１７に記録する。
【００５３】
このように、エレベータが走行中であり、ドアが閉じており、エレベータかご内に乗客がいる状況では、監視対象がエレベータかご内にいるものの、エレベータが走行している間は、監視対象の動きが少なく、監視対象への事故発生の可能性も低くなる。したがって、縮小映像ストリームよりも映像の解像度が高い映像ストリームを不揮発性記憶部１７に記録する必要はなく、縮小映像ストリームを不揮発性記憶部１７に記録すれば十分である。映像ストリームではなく、縮小映像ストリームを不揮発性記憶部１７に記録すれば、不揮発性記憶部１７の記憶容量を節約することができる。そこで、制御部１６は、エレベータ情報から、このような状況が発生していると判断した場合、縮小映像ストリームを映像記録情報として選択するように構成されている。
【００５４】
以上、Ｎｏ６から分かるように、制御部１６は、エレベータ情報から、エレベータが走行中であり、エレベータドアが閉じており、エレベータかご内に乗客がいると判断した場合、映像の解像度が低い縮小映像ストリームを映像記録情報として選択する。
【００５５】
Ｎｏ１に示すように、制御部１６は、エレベータが停止し、ドアが閉じており、エレベータかご内に乗客がいないと判断した場合には、揮発性記憶部１２に保存されている映像ストリームおよび縮小映像ストリームのいずれかを映像記録情報として選択し、選択した映像記録情報を不揮発性記憶部１７に記録する動作を停止する。
【００５６】
このように、エレベータが停止し、ドアが閉じており、エレベータかご内に乗客がいない状況では、監視対象がエレベータかご内にいない。そこで、制御部１６は、エレベータ情報から、このような状況が発生していると判断した場合、映像記録情報を不揮発性記憶部１７に記録する動作を停止するように構成されている。
【００５７】
Ｎｏ５に示すように、制御部１６は、エレベータが走行中であり、ドアが閉じており、エレベータかご内に乗客がいないと判断した場合には、揮発性記憶部１２に保存されている映像ストリームおよび縮小映像ストリームのいずれかを映像記録情報として選択し、選択した映像記録情報を不揮発性記憶部１７に記録する動作を停止する。
【００５８】
このように、エレベータが走行中であり、ドアが閉じており、エレベータかご内に乗客がいない状況では、監視対象がエレベータかご内にいない。そこで、制御部１６は、エレベータ情報から、このような状況が発生していると判断した場合、映像記録情報を不揮発性記憶部１７に記録する動作を停止するように構成されている。
【００５９】
以上、Ｎｏ１，５から分かるように、制御部１６は、エレベータ情報から、エレベータドアが閉じており、エレベータかご内に乗客がいないと判断した場合、映像記録情報を不揮発性記憶部に記録する動作を停止する。
【００６０】
以上の例のように、制御部１６は、エレベータ制御装置４からエレベータの状況を示すエレベータ情報を受信し、エレベータ情報に従って、揮発性記憶部１２に保存されている映像ストリームおよび縮小映像ストリームのいずれかを映像記録情報として選択し、選択した映像記録情報を不揮発性記憶部１７に記録する。
【００６１】
次に、制御部１６の動作例について、図３を参照しながらさらに説明する。図３は、図１の制御部１６の動作例を示すタイムチャートである。
【００６２】
図３では、エレベータ制御装置４から送信されるエレベータ情報を受信した時刻と、エレベータ情報に含まれる運転情報、ドア開閉情報および乗車情報のそれぞれの経時変化と、制御部１６が映像ストリームおよび縮小映像ストリームのいずれかを映像記録情報として不揮発性記憶部１７に記録する動作の経時変化とが、図示されている。
【００６３】
また、図３では、運転情報、ドア開閉情報および乗車情報のそれぞれの経時変化の一例として、これらの情報が次のように変化すると想定している。
【００６４】
すなわち、運転情報は、１２：００：００〜１２：００：１７の期間、および１２：００：３０以降の期間では、エレベータが停止していることを示す情報である。運転情報は、１２：００：１７〜１２：００：３０の期間では、エレベータが走行中であることを示す情報である。
【００６５】
ドア開閉情報は、１２：００：００〜１２：００：０５の期間、１２：００：１５〜１２：００：３２の期間、および１２：００：４５以降の期間では、エレベータドアが閉じていることを示す情報である。ドア開閉情報は、１２：００：０５〜１２：００：１５の期間、および１２：００：３２〜１２：００：４５の期間では、エレベータのドアが開いていることを示す情報である。
【００６６】
乗車情報は、１２：００：００〜１２：００：０８の期間、および１２：００：４０以降の期間では、エレベータかご内に乗客無しであることを示す情報である。乗車情報は、１２：００：０８〜１２：００：４０の期間では、エレベータかご内に乗客有りであることを示す情報である。
【００６７】
図３に示すように、１２：００：００〜１２：００：０５の期間では、制御部１６は、エレベータ制御装置４から受信したエレベータ情報から、エレベータが停止し、ドアが閉じており、エレベータかご内に乗客がいないと判断する。この場合、制御部１６は、映像記録情報を不揮発性記憶部１７に記録する動作を停止する。
【００６８】
続いて、１２：００：０５にエレベータ制御装置４がドアを開ける。１２：００：０５〜１２：００：０８の期間では、制御部１６は、エレベータ制御装置４から受信したエレベータ情報から、エレベータが停止し、ドアが開いており、エレベータかご内に乗客がいないと判断する。この場合、制御部１６は、揮発性記憶部１２に保存されている映像ストリームを映像記録情報として選択する。
【００６９】
続いて、１２：００：０８にエレベータに乗客が乗車する。１２：００：０８〜１２：００：１５の期間では、制御部１６は、エレベータ制御装置４から受信したエレベータ情報から、エレベータが停止し、ドアが開いており、エレベータかご内に乗客がいると判断する。この場合、制御部１６は、揮発性記憶部１２に保存されている映像ストリームを映像記録情報として選択する。
【００７０】
続いて、１２：００：１５にエレベータ制御装置４がドアを閉める。１２：００：１５〜１２：００：１７の期間では、制御部１６は、エレベータ制御装置４から受信したエレベータ情報から、エレベータが停止し、ドアが閉じており、エレベータかご内に乗客がいると判断する。この場合、制御部１６は、揮発性記憶部１２に保存されている映像ストリームを映像記録情報として選択する。
【００７１】
続いて、１２：００：１７にエレベータ制御装置４がエレベータの走行を開始する。１２：００：１７〜１２：００：３０の期間では、制御部１６は、エレベータ制御装置４から受信したエレベータ情報から、エレベータが走行中であり、ドアが閉じており、エレベータかご内に乗客がいると判断する。この場合、制御部１６は、揮発性記憶部１２に保存されている縮小映像ストリームを映像記録情報として選択する。
【００７２】
また、１２：００：１７において、制御部１６は、映像記録情報を映像ストリームから縮小映像ストリームへ切り替えて不揮発性記憶部１７に記録する。この場合、制御部１６は、図２に示すように、切り替え前の映像ストリームと切り替え後の縮小映像ストリームの時間情報が連続するようにする。そのため、切り替え前後の映像記録情報の時間情報が連続しているので、映像記録情報を連続して再生することができる。
【００７３】
続いて、１２：００：３０にエレベータが停止する階に到着したためエレベータ制御装置４がエレベータの走行を停止する。１２：００：３０〜１２：００：３２の期間では、制御部１６は、エレベータ制御装置４から受信したエレベータ情報から、エレベータが停止し、ドアが閉じており、エレベータかご内に乗客がいると判断する。この場合、制御部１６は、揮発性記憶部１２に保存されている映像ストリームを映像記録情報として選択する。
【００７４】
また、１２：００：３０において、制御部１６は、映像記録情報を縮小映像ストリームから映像ストリームへ切り替えて不揮発性記憶部１７に記録する。この場合、制御部１６は、図２に示すように、切り替え前の縮小映像ストリームと切り替え後の映像ストリームの時間情報が連続するようにする。そのため、切り替え前後の映像記録情報の時間情報が連続しているので、映像記録情報を連続して再生することができる。
【００７５】
続いて、１２：００：３２にエレベータ制御装置４がドアを開ける。１２：００：３２〜１２：００：４０の期間では、制御部１６は、エレベータ制御装置４から受信したエレベータ情報から、エレベータが停止し、ドアが開いており、エレベータかご内に乗客がいると判断する。この場合、制御部１６は、揮発性記憶部１２に保存されている映像ストリームを映像記録情報として選択する。
【００７６】
続いて、１２：００：４０にエレベータからすべての乗客が降車する。１２：００：４０〜１２：００：４５の期間では、制御部１６は、エレベータ制御装置４から受信したエレベータ情報から、エレベータが停止し、ドアが開いており、エレベータかご内に乗客がいないと判断する。この場合、制御部１６は、揮発性記憶部１２に保存されている映像ストリームを映像記録情報として選択する。
【００７７】
続いて、１２：００：４５にエレベータ制御装置４がドアを閉める。１２：００：４５以降では、エレベータかご内には乗客がおらず、ドアも閉まっている。そこで、制御部１６は、不揮発性記憶部１７への映像記録情報の無駄な記録を抑えるために、次のように動作する。
【００７８】
すなわち、例えばドアが閉まった時刻から１秒後の１２：００：４６までは、制御部１６は、揮発性記憶部１２に保存されている映像ストリームを映像記録情報として選択する。１２：００：４６以降では、制御部１６は、映像記録情報を不揮発性記憶部１７に記録する動作を停止する。
【００７９】
以上、本実施の形態１によれば、エレベータ制御装置から受信したエレベータ情報に従って、揮発性記憶部に保存されている映像ストリームおよび縮小映像ストリームのいずれかを映像記録情報として選択し、選択した映像記録情報を不揮発性記憶部に記録するように構成されている。
【００８０】
これにより、監視カメラで撮影された映像を記録する記憶装置の記憶容量を削減しつつ、記憶装置に記録された映像を連続的に再生することができる。
【００８１】
すなわち、エレベータの乗客が乗降中である状況、すなわち、乗客の動きがあって、事故などが発生しやすい状況では、映像の解像度が高い映像ストリームを不揮発性記憶部に記録することができる。また、エレベータの乗客が乗降中でない状況、すなわち、エレベータが走行中で、乗客の動きが少なく、事故などが発生しにくい状況では、映像の解像度が低い縮小映像ストリームを不揮発性記憶部に記録することができる。したがって、不揮発性記憶部で使用する記憶領域を削減することができるので、その結果、不揮発性記憶部の記憶容量を削減することができる。
【００８２】
また、不揮発性記憶部に記録されている映像ストリームおよび縮小映像ストリームのうち、縮小映像ストリームは、元の映像ストリームから時刻情報を引き継いで生成される。したがって、映像記録情報を映像ストリームから縮小映像ストリームへ切り替えて記録する場合、および、映像記録情報を縮小映像ストリームから映像ストリームへ切り替えて記録する場合、切り替え前後の映像記録情報の時間情報が連続している。その結果、映像記録情報の時間情報が連続しているので、映像記録情報を連続して再生することができる。
【００８３】
実施の形態２．
本発明の実施の形態２では、先の実施の形態１の構成に対して、先の実施の形態１と異なる手法によって縮小映像データを生成するように構成された監視装置１について説明する。なお、本実施の形態２では、先の実施の形態１と同様である点の説明を省略し、先の実施の形態１と異なる点を中心に説明する。
【００８４】
ここで、先の実施の形態１では、画像処理部１４は、揮発性記憶部１２に保存されている映像データの解像度を縮小し、解像度が縮小された映像データを縮小映像データとして生成するように構成されている。
【００８５】
これに対して、本実施の形態２では、画像処理部１４は、次のように構成されている。すなわち、画像処理部１４は、予め準備された参照映像データと、揮発性記憶部１２に保存されている映像データとを比較することで映像データから相違部分を検出する。また、画像処理部１４は、検出した相違部分を含む領域を映像データから抽出領域として抽出する。さらに、画像処理部１４は、揮発性記憶部１２に保存されている映像データの全領域から抽出領域のみを切り出した映像データを縮小映像データとして生成する。
【００８６】
図４は、本発明の実施の形態２におけるエレベータ用監視システムの構成を示すブロック図である。図４において、監視装置１は、入力制御部１１、揮発性記憶部１２、デコード部１３、画像処理部１４、エンコード部１５、制御部１６、不揮発性記憶部１７、不揮発性一時記憶部１８およびコピー制御部１９を備える。
【００８７】
画像処理部１４は、参照映像記憶部１４２、動き検出部１４３および抽出部１４４を有する。
【００８８】
参照映像記憶部１４２は、予め準備された参照映像データを保存する。予め準備された参照映像データは、揮発性記憶部１２に保存されている映像データから、相違部分を検出するための比較対象となるデータである。
【００８９】
次に、参照映像記憶部１４２に保存されている参照映像データの一例について、図５を参照しながら説明する。図５は、図４の参照映像記憶部１４２に保存されている参照映像データの一例を示す図である。図５に示すように、エレベータのドアが閉まっており、人が乗車していないときのエレベータかご内を監視カメラ３が撮影した映像が、参照映像データとして、参照映像記憶部１４２に予め保存されている。
【００９０】
動き検出部１４３は、揮発性記憶部１２に保存されている映像データと、参照映像記憶部１４２に保存されている参照映像データとを比較することで、相違部分を映像データから検出する。
【００９１】
次に、動き検出部１４３の動作の一例について、図６を参照しながら説明する。図６は、図４の揮発性記憶部１２に保存されている映像データの一例を示す図である。図６に示すように、エレベータかご内に人が乗車している時に監視カメラ３が撮影した映像が、映像データとして、揮発性記憶部１２に保存されている。
【００９２】
動き検出部１４３は、例えば、図５に示すような参照映像データと、図６に示すような映像データとを比較した場合、相違部分として、２人の乗客を映像データから検出する。
【００９３】
抽出部１４４は、揮発性記憶部１２に保存されている映像データから、動き検出部１４３によって検出された相違部分を含む領域を抽出領域として抽出する。続いて、抽出部１４４は、揮発性記憶部１２に保存されている映像データの全領域から抽出領域のみを切り出した映像データ（以下、抽出映像データと称す）を縮小映像データとして生成し、その縮小映像データを揮発性記憶部１２に保存する。
【００９４】
次に、抽出部１４４の動作の一例について、図７を参照しながら説明する。図７は、図４の抽出部１４４によって抽出された抽出領域を示す図である。なお、図７では、図６に示すような映像データに対して、抽出部１４４によって抽出された抽出領域を、破線で囲んだ領域（以下、破線領域と称す）として図示している。
【００９５】
図７に示すように、抽出部１４４は、動き検出部１４３によって検出された相違部分に相当する２人の乗客を含む領域、すなわち破線領域を抽出領域として抽出する。具体的には、抽出部１４４は、動き検出部１４３によって検出された相違部分を含む領域の上下左右の座標値を求め、その座標値に予め指定した定数を加えることで得られる領域を、抽出領域として抽出する。さらに、抽出部１４４は、揮発性記憶部１２に保存されている元の映像データのアスペクト比と同じになるように抽出領域を抽出する。
【００９６】
エンコード部１５は、先の実施の形態１と同様に、抽出部１４４によって揮発性記憶部１２に保存されている縮小映像データを、Ｈ．２６４等の動画圧縮規格でエンコードして縮小映像ストリームを生成し、その縮小映像ストリームを揮発性記憶部１２に保存する。
【００９７】
以上、本実施の形態２によれば、先の実施の形態１の構成に対して、解像度が縮小された映像データを縮小映像データとして生成する代わりに、映像データから抽出領域を抽出し、映像データの全領域から抽出領域のみを切り出した抽出映像データを縮小映像データとして生成するように構成されている。
【００９８】
これにより、エレベータの乗客が乗降中でない状況では、エレベータかご内で動きのある領域の映像、すなわち乗客の映像のみを不揮発性記憶部に記録することができ、その結果、不揮発性記憶部で使用する記憶領域をより削減することができる。
【００９９】
実施の形態３．
本発明の実施の形態３では、先の実施の形態２の構成に対して、映像データから抽出領域以外の領域で相違部分が検出された場合、映像ストリームを優先的に映像記録情報として不揮発性記憶部１７に記録するように構成された監視装置１について説明する。なお、本実施の形態３では、先の実施の形態１、２と同様である点の説明を省略し、先の実施の形態１、２と異なる点を中心に説明する。
【０１００】
ここで、先の実施の形態２では、動き検出部１４３が、揮発性記憶部１２に保存されている映像データから、抽出部１４４によって抽出される抽出領域以外で相違部分を検出した場合であっても、制御部１６は、先の実施の形態１と同様の動作を行う。すなわち、制御部１６は、エレベータ制御装置４から受信したエレベータ情報に従って、揮発性記憶部１２に保存されている映像ストリームおよび縮小映像ストリームのいずれかを映像記録情報として選択する。
【０１０１】
これに対して、本実施の形態３では、揮発性記憶部１２に保存されている映像データから、動き検出部１４３が、抽出部１４４によって抽出される抽出領域以外で相違部分を検出した場合、制御部１６は、次のような動作を行う。すなわち、制御部１６は、エレベータ制御装置４から受信したエレベータ情報に関わらず、揮発性記憶部１２に保存されている映像ストリームを優先的に映像記録情報として選択する。
【０１０２】
すなわち、制御部１６は、エレベータ情報から、エレベータが走行中であり、エレベータドアが閉じており、エレベータかご内に乗客がいると判断した場合であっても、動き検出部１４３が抽出領域以外で相違部分を検出すれば、縮小映像ストリームではなく、映像ストリームを映像記録情報として選択する。
【０１０３】
なお、映像データから抽出領域以外の領域で相違部分が検出された場合、制御部１６は、その相違部分が検出された時刻よりも数秒前の映像ストリームを不揮発性記憶部１７に保存するように構成されていてもよい。
【０１０４】
以上、本実施の形態３によれば、先の実施の形態２の構成に対して、揮発性記憶部に保存されている映像データから抽出領域以外で相違部分が検出された場合、エレベータ情報に関わらず、揮発性記憶部に保存されている映像ストリームを優先的に映像記録情報として選択するように構成されている。
【０１０５】
これにより、エレベータの乗客が乗降中でない状況において、抽出領域以外で動きがある状況、すなわち例えば、監視カメラで撮影していない場所にいた乗客に動きがあってその乗客が監視カメラの撮影範囲内に入る状況、エレベータかご内に設置した絵画などが突然外れる状況等が発生した場合、縮小映像ストリームよりも映像領域が広い映像ストリームを不揮発性記憶部に記録することができる。その結果、エレベータが走行中であり、エレベータドアが閉じており、エレベータかご内に乗客がいる場合であっても、上記のような想定外の状況を映像として不揮発性記憶部に記録することができる。
【０１０６】
実施の形態４．
本発明の実施の形態４では、先の実施の形態２の構成に対して、揮発性記憶部１２に保存されている映像データの全領域に対して、抽出領域を徐々にズームアップするときのズームアップの変化の過程を示す一連のズームアップ映像データを含んだ縮小映像データを生成するように構成された監視装置１について説明する。なお、本実施の形態４では、先の実施の形態１〜３と同様である点の説明を省略し、先の実施の形態１〜３と異なる点を中心に説明する。
【０１０７】
ここで、先の実施の形態２では、抽出部１４４は、映像データから抽出領域を抽出し、映像データの全領域から抽出領域のみを切り出した抽出映像データを縮小映像データとして生成するように構成されている。
【０１０８】
これに対して、本実施の形態４では、抽出部１４４は、上記の縮小映像データに対して、映像データの全領域に対して、抽出領域を徐々にズームアップするときのズームアップの変化の過程を示す一連のズームアップ映像データを含んだ縮小映像データを生成するように構成されている。
【０１０９】
次に、抽出部１４４によって生成される縮小映像データに含まれる一連のズームアップ映像データについて、図８を参照しながら説明する。図８は、本発明の実施の形態４における抽出部１４４によって生成される縮小映像データに含まれる一連のズームアップ映像データの一例を示す図である。図８に示す破線領域は、拡大する領域を説明するために図示しており、実際のデータでは、破線領域は表示されない。
【０１１０】
図８に示すように、抽出部１４４は、揮発性記憶部１２に保存されている映像データの全領域に対して、抽出領域、すなわち破線領域を徐々にズームアップするときのズームアップの変化の過程を示す一連のズームアップ映像データを含んだ縮小映像データを生成する。一連のズームアップ映像データは、例えば、映像データ（ａ）と、映像データ（ａ）の全領域に対して、解像度が同じになるように抽出領域を徐々にズームアップすることで得られる、抽出領域が拡大された映像データ（ｂ），（ｃ）と、映像データ（ａ）の全領域から抽出領域のみを切り出した映像データ（ｄ）とを含んで構成される。
【０１１１】
このように、抽出部１４４は、揮発性記憶部１２に保存されている映像データの全領域に対して、抽出領域を徐々にズームアップするときのズームアップの変化の過程を示す一連のズームアップ映像データを含んだ縮小映像データを生成する。
【０１１２】
なお、抽出部１４４は、上記の構成に対して、抽出映像データの全領域に対して、抽出領域を徐々にズームバックするときのズームバックの変化の過程を示す一連のズームバック映像データをさらに含んだ縮小映像データを生成してもよい。一連のズームバック映像データは、例えば、映像データ（ｄ）と、映像データ（ｄ）の全領域に対して、解像度が同じになるように抽出領域を徐々にズームバックすることで、抽出領域が縮小された映像データ（ｃ），（ｂ）と、映像データ（ａ）とを含んで構成される。
【０１１３】
図９は、本発明の実施の形態４における制御部１６の動作例を示すタイムチャートである。なお、図９では、運転情報、ドア開閉情報および乗車情報のそれぞれの経時変化は、先の図３と同様である。
【０１１４】
図９に示すように、１２：００：１７において、制御部１６は、エレベータ制御装置４から受信したエレベータ情報から、エレベータが走行中であり、ドアが閉じており、エレベータかご内に乗客がいると判断する。この場合、制御部１６は、一連のズームアップ映像データが含まれるように縮小映像ストリームを不揮発性記憶部１７に記録する。
【０１１５】
また、１２：００：３０において、制御部１６は、エレベータ制御装置４から受信したエレベータ情報から、エレベータが停止し、ドアが閉じており、エレベータかご内に乗客がいると判断する。この場合、はじめに一連のズームバック映像データが含まれるように縮小映像ストリームを不揮発性記憶部１７に記録し、その後、映像ストリームを不揮発性記憶部１７に記録する。
【０１１６】
なお、先の実施の形態３で説明したような映像データから抽出領域以外の領域で相違部分が検出された場合等、緊急性が求められる場合、制御部１６は、映像ストリームを優先的に不揮発性記憶部１７に記録するように構成されていてもよい。
【０１１７】
以上、本実施の形態４によれば、先の実施の形態２の構成に対して、揮発性記憶部に保存されている映像データの全領域に対して、抽出領域を徐々にズームアップするときのズームアップの変化の過程を示す一連のズームアップ映像データを含んだ縮小映像データを生成するように構成されている。これにより、映像記録情報の再生時に映像データの全領域のどこの部分に監視範囲に相当する抽出領域が存在するのかを容易に確認することができる。
【０１１８】
なお、実施の形態１〜４について個別に説明してきたが、実施の形態１〜４のそれぞれで開示した構成例は、任意に組み合わせることが可能である。
【符号の説明】
【０１１９】
１  エレベータ用監視装置、２  ネットワーク、３  監視カメラ、４  エレベータ制御装置、１１  入力制御部、１２  揮発性記憶部、１３  デコード部、１４  画像処理部、１５  エンコード部、１６  制御部、１７  不揮発性記憶部、１８  不揮発性一時記憶部、１９  コピー制御部、１４１  解像度縮小部、１４２  参照映像記憶部、１４３  動き検出部、１４４  抽出部。
【図１】
0006604616.tif 000002
【図２】
0006604616.tif 000003
【図３】
0006604616.tif 000004
【図４】
0006604616.tif 000005
【図５】
0006604616.tif 000006
【図６】
0006604616.tif 000007
【図７】
0006604616.tif 000008
【図８】
0006604616.tif 000009
【図９】
0006604616.tif 000010